(57)【要約】【課題】  鋼製材料よりなる壁面構造体を遮水シートで覆う構造において、耐久性及び遮水性が高い遮水壁構造を提供する。【解決手段】  壁面構造体となる鋼製箱型矢板３１の壁面の一部を覆うように遮水シート１８ａが敷設され、その壁面の一部に隣接する部分を覆うように遮水シート１８ｂが敷設される。遮水シート１８ａ，遮水シート１８ｂの各々の端縁にはストッパー４１ａ，ストッパー４１ｂが取付けられる。遮水シート１８ａ，遮水シート１８ｂの各々の端縁を覆うように、平坦部３４、傾斜部３５ａ，傾斜部３５ｂ及びフランジ部３６ａ，フランジ部３６ｂよりなる枠体が、固定ボルト３８及びナット３９を介して鋼製箱型矢板３１に取付けられる。枠体の内部にはアスファルト混合物よりなる遮水材４２が充填される。これによって遮水シート１８ａ，遮水シート１８ｂは、鉛直連結体２１を介して鋼製箱型矢板３１の壁面に対して遮水性能を発揮する。【選択図】      図４
2004314046.tif 000002
【特許請求の範囲】
【請求項１】
廃棄物と保有水を貯留する遮水壁構造におけるシート接続構造であって、
連続した壁面を構成する壁面構造体と、
前記壁面の一部をその一方面で覆うように取付けられた、遮水性を有する第１の遮水シートと、
前記壁面の一部に隣接する部分をその一方面で覆うように取付けられた、遮水性を有する第２の遮水シートと、
前記第１の遮水シートの端部と前記第２の遮水シートの端部とを重ね合わせ又は離した状態とし、
前記第１の遮水シートと前記第２遮水シートとを前記壁面に対して遮水状態に連結する連結体とを備えた、遮水壁構造におけるシート接続構造。
【請求項２】
前記連結体は、
前記第１の遮水シート及び前記第２の遮水シートを前記壁面に押圧し、前記第１の遮水シートの端縁及び前記第２の遮水シートの端縁を包み込む状態として伸びる枠体と、
前記枠体の内部に充填された遮水材とからなる、請求項１記載の遮水壁構造におけるシート接続構造。
【請求項３】
前記第１の遮水シート及び前記第２の遮水シートの各々には、前記連結体の長手方向に対して平行に延びる撓み部が形成される、請求項２記載の遮水壁構造におけるシート接続構造。
【請求項４】
前記第１の遮水シートの端縁及び前記第２の遮水シートの端縁の各々には、前記連結体からの抜け出しを防止するためのストッパーが取付けられる、請求項２又は請求項３記載の遮水壁構造におけるシート接続構造。
【請求項５】
前記遮水壁構造のコーナー部において、
前記連結体は、
前記第１の遮水シートを前記コーナー面を構成する一方の壁面に押圧するとともに、前記第２の遮水シートを前記コーナー面を構成する他方の壁面に押圧し、前記第１の遮水シートの端縁及び前記第２の遮水シートの端縁に沿って伸びる枠体と、
前記枠体の内部に充填された遮水材とからなる、請求項１記載の遮水壁構造。
【請求項６】
前記第１の遮水シート及び前記第２の遮水シートの各々には、前記連結体の長手方向に対して平行に延びる撓み部が形成される、請求項５記載の遮水壁構造におけるシート接続構造。
【請求項７】
前記第１の遮水シートの端縁及び前記第２の遮水シートの端縁の各々には、前記連結体からの抜け出しを防止するためのストッパーが取付けられる、請求項５又は請求項６記載の遮水壁構造におけるシート接続構造。
【請求項８】
処分場等における法面や底面を覆うように敷設するシートにおいて、隣接するシート端部を重ね、又は離した状態とし、前記シートの各々の端部付近を覆うようにカバーで覆い、かつ前記シート背面に板状体を設け、前記カバーと板状体とをボルトで結合した後、前記カバー内部にアスファルトやモルタルなどの止水材を充填したことを特徴とするシート接続方法。
【請求項９】
前記法面の端部などシート敷設時に傾斜角が変わる個所付近の前記板状体を、前記傾斜角に追従できるようにしたことを特徴とする、請求項８記載のシート接続方法。
【発明の詳細な説明】
【技術分野】
【０００１】
この発明はシート接続構造及びシート接続方法に関し、特に廃棄物海面処分場等における管理型護岸に用いられる遮水壁構造や処分場等における底面及び法面におけるシート接続構造及びシート接続方法に関するものである。
【背景技術】
【０００２】
図８は従来の管理型護岸構造における二重矢板式構造による遮水壁の構造を示す概略断面図であり、図９は図８で示したＩＸ−ＩＸラインから見た図である。
【０００３】
これらの図を参照して、遮水壁構造１５は主に、廃棄物処分場１３側に面するように立設された壁面構造体となる鋼製箱型矢板３１と、鋼製箱型矢板３１に対して廃棄物処分場１３側とは反対側に所定距離離れた位置に立設された鋼管矢板６１と、鋼製箱型矢板３１と鋼管矢板６１との間の空間に投入された中詰土砂３２とから構成されている。尚、鋼製箱型矢板３１と鋼管矢板６１とはその上部においてタイロッド６２によって連結され、遮水壁構造１５の強度を向上させている。又、鋼製箱型矢板３１は、透水性地層２６を通過し、その下方に位置する不透水性地層２７に対して所定深さまで鋼管矢板６１は、構造強度上で要求される深さまで埋設するようにそれぞれ根入れされている。
【０００４】
このような遮水壁構造１５を構築することによって廃棄物処分場１３を外海６３から区画している。そして廃棄物処分場１３にあっては壁面構造体となる鋼製箱型矢板３１によってその保有水２３と廃棄物Ａが囲われており、外海６３にあっては、鋼管矢板６１が外海６４に面することになる。
【０００５】
図９に示すように、壁面構造体となる鋼製箱型矢板３１の各々が互いに連結された状態で１列に立設されている。鋼製箱型矢板３１は互いに平行状態に対向する１対の平板と、これらの平板を直交方向に接続する２枚の支持板とから構成されている。尚、１対の平板の各々の端縁には、継手６６が形成されている。
【０００６】
使用時にあたっては、図９に示すように、鋼製箱型矢板３１ａを打設した後、鋼製箱型矢板３１ａの継手６６に、隣接する鋼製箱型矢板３１ｂの継手を互いに嵌合させるようにして鋼製箱型矢板３１ｂを打設する。これによって、鋼製箱型矢板３１ａと鋼製箱型矢板３１ｂとは、継手を介して連結されることになる。そして継手で囲まれた空間にアスファルト混合物等の遮水材６７が充填される。これによって鋼製箱型矢板３１ａ及び鋼製箱型矢板３１ｂは遮水性を有した状態で連結されることになる。同様に鋼製箱型矢板３１ｃを鋼製箱型矢板３１ｂに対して連結することによって、複数の鋼製箱型矢板３１よりなる連続した壁面構造体が構築されることになる。
【０００７】
又、鋼製箱型矢板３１は図８に示すように、不透水性地層２７に対して打設されているため、廃棄物処分場１３の区画を外海６３から完全に分離することが可能となり、保有水２３が遮水壁構造１５を介して外海６４側に浸透する虞はない。このような鋼製箱型矢板３１を用いた遮水壁構造１５は、コンクリート製のケーソンを用いた遮水壁構造に比べて配置の自由度が高いため使い勝手が良い。
【発明の開示】
【発明が解決しようとする課題】
【０００８】
上記のような遮水壁構造にあっては、コンクリート製によるものに比べて設置が容易であるものの、壁面構造体が鋼製であるため廃棄物処分場１３の保有水２３による腐食が大きく耐久性が低くなってしまう。又、腐食の進行に伴って遮水壁構造１５の強度が低下し、管理型護岸としての構造性能の低下の虞もある。
【０００９】
そこで、壁面構造体の廃棄物処分場１３側の壁面全面を遮水シートで覆うことが考えられる。しかし、遮水シートの大きさは制限があるため遮水シート同志を連結する必要があるが、連結個所の遮水性能が低下する虞がある。
【００１０】
この発明は上記のような課題を解決するためになされたもので、鋼製材料よりなる壁面構造体を遮水シートで覆う構造において、耐久性及び遮水性が高い遮水壁構造を提供することを目的とする。
【課題を解決するための手段】
【００１１】
上記の目的を達成するために、請求項１記載の発明は、液体を囲って保有する遮水壁構造であって、ケーソンやセル、矢板などよりなり、連続した壁面を構成する壁面構造体と、壁面の一部をその一方面で覆うように取付けられた、遮水性を有する第１の遮水シートと、前記面の一部に隣接する部分をその一方面で覆うように取付けられた、遮水性を有する第２の遮水シートと、第１の遮水シートの端縁と第２の遮水シートの端縁とを、第１の遮水シートの他方面及び第２の遮水シートの他方面から覆い、第１の遮水シートと第２の遮水シートとを壁面に対して遮水状態に連結する連結体とを備えたものである。
【００１２】
このように構成すると、第１の遮水シート、連結体及び第２の遮水シートは壁面構造体に対して一体となって遮水性能を発揮する。
【００１３】
請求項２記載の発明は、請求項１記載の発明の構成において、連結体は、第１の遮水シート及び第２の遮水シートを壁面に押圧し、第１の遮水シートの端縁及び第２の遮水シートの端縁に沿って伸びる枠体と、枠体の内部に充填された遮水材とからなるものである。
【００１４】
このように構成すると、第１の遮水シート及び第２の遮水シートは壁面において遮水材を介して連結される。
【００１５】
請求項３記載の発明は、請求項２記載の発明の構成において、第１の遮水シート及び第２の遮水シートの各々には、連結体の長手方向に対して平行に延びる撓み部が形成されるものである。
【００１６】
このように構成すると、壁面構造体と第１の遮水シート及び第２の遮水シートとの伸びの相違は撓み部によって吸収される。
【００１７】
請求項４記載の発明は、請求項２又は請求項３記載の発明の構成において、第１シートの端縁及び第２シートの端縁の各々には、連結体からの抜け出しを防止するためのストッパーが取付けられるものである。
【００１８】
このように構成すると、第１の遮水シート及び第２の遮水シートの連結体からの抜け出しはストッパーによって阻止される。
【００１９】
請求項５記載の発明は、請求項１記載の発明の構成において、遮水壁構造のコーナー部において、連結体は、第１の遮水シートをコーナー部を構成する一方の壁面に押圧するとともに、第２の遮水シートをコーナー部を構成する他方の壁面に押圧し、第１の遮水シートの端縁及び第２の遮水シートの端縁に沿って伸びる枠体と、枠体の内部に充填された遮水材とからなるものである。
【００２０】
このように構成すると、第１の遮水シート及び第２の遮水シートは壁面のコーナー部において遮水材を介して連結される。
【００２１】
請求項６記載の発明は、請求項５記載の発明の構成において、第１の遮水シート及び第２の遮水シートの各々には、連結体の長手方向に対して平行に延びる撓み部が形成されるものである。
【００２２】
このように構成すると、壁面構造体と第１の遮水シート及び第２の遮水シートとの伸びの相違は、撓み部によって吸収される。
【００２３】
請求項７記載の発明は、請求項５又は請求項６記載の発明の構成において、第１シートの端縁及び第２シートの端縁の各々には、連結体からの抜け出しを防止するためのストッパーが取付けられるものである。
【００２４】
このように構成すると、第１の遮水シート及び第２の遮水シートの連結体からの抜け出しはストッパーによって阻止される。
【００２５】
請求項８記載の発明は、シート接続方法であって、処分場等における法面や底面を覆うように敷設するシートにおいて、隣接するシート端部を重ね、又は離した状態とし、シートの各々の端部付近を覆うようにカバーで覆い、かつシート背面に板状体を設け、カバーと板状体とをボルトで結合した後、カバー内部にアスファルトやモルタルなどの止水材を充填したことを特徴としたものである。
【００２６】
このように構成すると、シートの各々は、カバー内部に充填された止水材を介して一体となって遮水性能を発揮する。
【００２７】
請求項９記載の発明は、請求項８記載の発明の構成において、法面の端部などシート敷設時に傾斜角が変わる個所付近の板状体を、傾斜角に追従できるようにしたことを特徴としたものである。
【００２８】
このように構成すると、傾斜角が変わる個所においても板状体は追従できる。
【発明の効果】
【００２９】
以上説明したように、請求項１記載の発明によれば、壁面構造体は貯留した液体や固体に触れなくなるため、腐食し難くなり、遮水壁構造の信頼性が向上するとともに、連続した遮水シートにより、１重の遮水ラインが形成される。
【００３０】
請求項２記載の発明によれば、請求項１記載の発明の効果に加えて、第１の遮水シート及び第２の遮水シートは遮水材を介して連結されるため、第１の遮水シート及び第２の遮水シートの端縁の形状に関わらず安定した遮水性能が発揮される。
【００３１】
請求項３記載の発明によれば、請求項２記載の発明の効果に加えて、壁面構造体と第１の遮水シート及び第２の遮水シートとの伸びの相違があっても、連結体から第１の遮水シート及び第２の遮水シートが抜け出る虞がなく、遮水壁構造の信頼性が向上する。
【００３２】
請求項４記載の発明によれば、請求項２又は請求項３記載の発明の効果に加えて、第１の遮水シート及び第２の遮水シートはストッパーによって連結体から抜け出る虞がないため連結状態の信頼性が向上する。
【００３３】
請求項５記載の発明によれば、請求項１記載の発明の効果に加えて、第１の遮水シート及び第２の遮水シートは遮水材を介して連結されるため、端縁の形状に関わらず安定した遮水性能が発揮される。
【００３４】
請求項６記載の発明によれば、請求項５記載の発明の効果に加えて、壁面構造体と第１の遮水シート及び第２の遮水シートとの伸びの相違があっても、連結体から第１の遮水シート及び第２の遮水シートが抜け出る虞はなく、遮水壁構造の信頼性が向上する。
【００３５】
請求項７記載の発明によれば、請求項５又は請求項６記載の発明の効果に加えて、第１の遮水シート及び第２の遮水シートはストッパーによって連結体から抜け出る虞はないため、連結状態の信頼性が向上する。
【００３６】
請求項８記載の発明によれば、隣接するシート端部の接合部分の水密性が完全でない場合でも、アスファルトやモルタルなどの止水材で水密性が確保できる。
【００３７】
請求項９記載の発明によれば、請求項８記載の発明の効果に加えて、板状体の厚みを薄くするなどして、傾斜角が変わる場合でも追従するようにすることで傾斜角が変わる個所でも敷設が可能となる。
【発明を実施するための最良の形態】
【００３８】
図１はこの発明の第１の実施の形態による管理型護岸における遮水壁構造の平面形状を示した平面図である。
【００３９】
図を参照して、遮水壁構造１５は平面視において矩形枠体形状を有しており、廃棄物処分場１３と外海６３とを区画している。尚、遮水壁構造１５の断面形状は従来例として示した図８によるものと同一である。
【００４０】
遮水壁構造１５の廃棄物処分場１３側の内壁面１６には、複数の遮水シート１８ａ〜遮水シート１８ｊがその表面を覆うように敷設されている。尚、内壁面１６の平坦面においては、例えば遮水シート１８ａと遮水シート１８ｂとは鉛直連結体２１によって連結されており、内壁面１６のコーナー面においては、例えば遮水シート１８ａと遮水シート１８ｊとはコーナー連結体４４によって連結されている。
【００４１】
図２は図１で示したＩＩ−ＩＩラインから見た図であり、図３は図２で示したＩＩＩ−ＩＩＩラインの断面図であり、図４は図２で示したＩＶ−ＩＶラインの断面図である。
【００４２】
これらの図を参照して、まず鉛直連結体の構造について説明する。鉛直連結体２１は、プレキャストコンクリートや、高強度樹脂材、鋼製材料よりなり、長方形平板形状よりなる平坦部３４と、平坦部３４の両側縁に接続され、鋼製箱型矢板３１側にやや外方に広がるように伸びる一対の傾斜部３５ａ，傾斜部３５ａと、傾斜部３５ａ，傾斜部３５ａの端部の各々に接続され平坦部３４の面に対して外方に平行に伸びるフランジ部３６ａ，フランジ部３６ｂとからなる枠体と、頭部が鋼製箱型矢板３１に溶接され、その他方が平坦部３４を貫通して外方に伸びる固定ボルト３８と、固定ボルト３８の外方端部に螺合するナット３９と、枠体の内部に充填される、アスファルト混合物等からなる遮水材４２とから構成されている。
【００４３】
鉛直連結体２１によって連結される遮水シート１８ａはその端縁部分が鉛直連結体２１の内部に位置し、その端縁には、例えばアングル鋼よりなるストッパー４１ａが取付けられている。鉛直連結体２１のフランジ部３６ａは、遮水シート１８ａの端縁から所定距離離れた位置を鋼製箱型矢板３１に対して押圧した状態となっている。又、遮水シート１８ａは鉛直連結体２１の長手方向に沿って上下方向に伸びる撓み部１９ａが形成されている。同様に鉛直連結体２１によって連結される遮水シート１８ｂの端縁にはストッパー４１ｂが形成され、上下方向に伸びる撓み部１９ｂが形成されている。鉛直連結体２１のフランジ部３６ｂは、同様に遮水シート１８ｂの端縁から所定距離内方の位置を鋼製箱型矢板３１に対して押圧するように遮水シート１８ｂに接している。
【００４４】
ナット３９を固定ボルト３８に対して締め付けることによって、鉛直連結体２１を構成する枠体は鋼製箱型矢板３１側に移動する。すなわち、枠体の一部であるフランジ部３６，フランジ部３６ｂによる遮水シート１８ａ，遮水シート１８ｂに対する押圧力が増加することになる。
【００４５】
尚、鉛直連結体２１は図２及び図３に示されているように鋼製箱型矢板３１のほぼ上端から不透水性地層２７の上面近傍の位置まで伸びるように設置されている。これに対応するように遮水シート１８ａ，遮水シート１８ｂも鋼製箱型矢板３１のほぼ上端から不透水性地層２７の上面の近くまで伸びるように敷設されている。そして不透水性地層２７の上面と鋼製箱型矢板３１の内方面側の下方部分にはアスファルト混合物質よりなる遮水材２９が形成されている。これによって遮水シート１８ａ，遮水シート１８ｂの下方部分及び鉛直連結体２１の下方端は、遮水材２９によって完全に遮水されることになる。
【００４６】
図４に戻って、鉛直連結体２１を構成する平坦部３４等からなる枠体の内部には上述のように遮水材４２が充填される。これによって遮水シート１８ａと遮水シート１８ｂとは、これらを互いに接合することなく、鉛直連結体２１によって一体となって鋼製箱型矢板３１に対して遮水性能を発揮することになる。尚、遮水シート１８は例えばゴムやポリ塩化ビニル等からなるのに対し、鋼製箱型矢板３１は鋼製材料よりなる。従って、廃棄物処分場１３の保有水２３の温度によってその伸びが大きく異なることになる。しかし遮水シート１８には撓み部１９が形成されているため、その伸びの相違は撓み部１９で吸収されることになる。又、遮水シート１８の端縁にはストッパー４１が取付けられているため、遮水シート１８の端部が鉛直連結体２１の内部から不用意に抜け出す虞もない。これによって鋼製箱型矢板３１は廃棄物処分場１３の保有水２３から完全に遮水されることになるため、腐食し難くなりその耐久性が向上する。
【００４７】
尚、遮水シート１８ａの端部と遮水シート１８ｂの端部とは所定距離だけ離れて設置されているが、これらの端部同志を重ね合せて設置するように構成しても良い。
【００４８】
ところで、鉛直連結体２１のフランジ部３６ａ，フランジ部３６ｂによる遮水シート１８ａ，遮水シート１８ｂに対する枠体の押圧力は鉛直連結体２１に充填された遮水材４２がそこから漏れ出さない程度であれば良く、その部分での高度なシール性を要求されることはないため施工が容易となる。
【００４９】
尚、ストッパー４１ａ，ストッパー４１ｂは上述のように遮水シート１８ａ，遮水シート１８ｂの抜け出しを防止するために設けられているが、施工時にこれらを鋼製箱型矢板３１に対して仮付けするようにしておくと、遮水シート１８ａ，遮水シート１８ｂの鋼製箱型矢板３１に対する敷設が容易となり更に使い勝手が良い。
【００５０】
図５は図１で示したＶ−Ｖラインの断面図であり、図６は図５で示したＶＩ−ＶＩラインの断面図である。
【００５１】
これらの図を参照して、内壁面１６のコーナー部にあっては、コーナー部を構成する一方の壁面に敷設された遮水シート１８ａとコーナー面の他方の壁面に敷設された遮水シート１８ｊとが平面視Ｌ字形状の枠体によって連結されている。枠体は長方形平板形状の平坦部４６と、平坦部４６の側縁の一方端に接続され、鋼製箱型矢板３１の壁面に平行に伸びるフランジ部４７とからなる第１部材４５と、長方形平板形状の平坦部５２と、平坦部５２の側縁の一方に接続され鋼製箱型矢板３１の壁面に並行に伸びる第１フランジ部５３と、平坦部５２の側縁の他方に接続され第１フランジ部５３とは反対方向に伸びる第２フランジ部５４とからなる第２部材５１とによって構成されている。尚、第２部材５１の第２フランジ部５４は第１部材４５の平坦部４６に対してその側縁の他方における外方面に当接するように構成されている。
【００５２】
又、鋼製箱型矢板３１の一方の壁面には固定ボルト５５の頭部が溶接されて固定されており、固定ボルト５５の端部は第２部材５１の平坦部５２を貫通して外方に伸びている。固定ボルト５５の端部にはナット５６が螺合している。すなわち、ナット５６を締め付けることによって第２部材５１は鋼製箱型矢板３１の一方の壁面側に移動する。
【００５３】
一方、鋼製箱型矢板３１の他方の壁面には固定ボルト４８の頭部が溶接されて固定されている。固定ボルト４８の端部は第１部材４５の平坦部４６を貫通して外方に伸びている。固定ボルト４８の端部にはナット４９が螺合しており、ナット４９を締め付けることによって第１部材４５は鋼製箱型矢板３１の他方の壁面側に移動する。第１部材４５と第２部材５１とからなる枠体の内部には、アスファルト混合材よりなる止水材５８が充填されている。このようにしてコーナー連結体４４は構成されている。
【００５４】
遮水シート１８ａの鋼製箱型矢板３１のコーナー面側の端部はコーナー連結体４４内部に位置し、そこにはストッパー４１ｃが取付けられている。又、遮水シート１８ａのコーナー連結体４４側には上下方向に伸びる撓み部１９ｃが形成されている。
【００５５】
一方、遮水シート１８ｊの鋼製箱型矢板３１のコーナー面側の端部はコーナー連結体４４の内部に位置し、そこにはストッパー４１ｄが取付けられている。又、遮水シート１８ａのコーナー連結体４４側には上下方向に伸びる撓み部１９ｄが形成されている。
【００５６】
ところで、図５に示すようにコーナー連結体４４は、鋼製箱型矢板３１の上端から不透水性地層２７の上面の近傍に到達するようにその長さが設定されている。又、遮水シート１８ａ，遮水シート１８ｊの各々も、鋼製箱型矢板３１のほぼ上端から不透水性地層２７の上面近くの位置まで伸びるように敷設されている。そしてこの状態で鋼製箱型矢板３１の内方面の下方部分と不透水性地層２７の上面とが交差する部分には、アスファルト混合物等よりなる遮水材２９が施工されている。
【００５７】
このようにして、遮水壁構造１５のコーナー面も平坦面と同様に廃棄物処分場１３の保有水２３に対して完全に遮水されることになる。すなわち、遮水シート１８同志を接合することなくコーナー連結体４４によってこれらは一体となって遮水性能を発揮することになる。尚、コーナー連結体４４は鉛直連結体２１と同様に遮水シート１８に対して高度なシール性は要求されないため現場での施工が容易となる。
【００５８】
尚、上記の実施の形態では、壁面構造体として鋼製箱型矢板を用いているが、鋼管矢板、鋼矢板、直線矢板、鋼製Ｈ型矢板等の他の形状の鋼製矢板であっても、その表面形状に合わせた枠体を使用すれば同様に適用できる。又、鋼製矢板以外の鋼製ケーソンや鋼製セルやコンクリートケーソンやハイブリッドケーソンであっても壁面構造体として同様に適用できる。
【００５９】
又、上記の実施の形態では、特定形状の枠体を使用しているが、この形状は他の形状でも良く、少なくともその内部に遮水材を充填できるものであれば良い。
【００６０】
更に、上記の実施の形態では、連結体の近くの遮水シートには撓み部が形成されているが、この撓み部はなくても良い。
【００６１】
更に、上記の実施の形態では、遮水シートの端縁に特定形状のストッパーが取り付けられているが、この形状は他の形状であっても良く、又、ストッパー自体なくても良い。
【００６２】
更に、上記の実施の形態では、連結体の下方部は遮水材によって遮水されているが、他の遮水方法を採用しても良い事は言うまでもない。
【００６３】
更に、上記の実施の形態では、廃棄物処分場の底部は不透水性地層としているが、不透水性改良地質による底部であっても良く、又は透水性地層に対する遮水シートの敷設による底部であっても良い事は言うまでもない。
【００６４】
図１０はこの発明の第２の実施の形態によるシート接続構造の外観形状を示す斜視図であり、図１１は図１０で示したＸＩ−ＸＩラインの拡大断面図である。
【００６５】
これらの図を参照して、廃棄物処分場１３の底面７１から法面７２にかけて遮水シート７４ａ及び遮水シート７４ｂが布設されており、各々のシートは連結体７５において遮水状態で連結されている。
【００６６】
連結体７５の構造は基本的には先の実施の形態による図４のものと同一であるが、遮水シート７４ａ及び遮水シート７４ｂに対してカバー７７が設置される面とは反対面に、カバー７７と平行に伸びる鉄板等の矩形板状の板状体７８が設けられている点が異なっている。すなわち、遮水シート７４ａ及び遮水シート７４ｂは、カバー７７の両端部と板状体７９の上面との間で挟まれており、固定ボルト７９は板状体７９及びカバー７７を貫通するように取り付けられ、カバー７７の外面においてナット８０と螺合している。
【００６７】
又、遮水シート７４ａの端縁にはストッパー８３ａが取付けられ、遮水シート７４ｂの端縁にはストッパー８３ｂが取り付けられており、遮水シート７４ａ及び遮水シート７４ｂの連結体７５からの不用意な抜け出しを防止している。カバー７７の内部には、アスファルトやモルタル等の止水材８２が充填されているので、遮水シート同志を直接接合するものに比べて安定した遮水性能を確保することが可能となる。
【００６８】
このようにして、設置面が鋼製でないためボルト７９を直接固定できないような処分場の底面や法面等にあっても板状体７８を設置することによって、遮水シートの接合部分の遮水性を確実に高めることができる。
【００６９】
尚、底面７１と法面７２とのなす傾斜角が変化する場合には、板状体７８を薄くしたり、カバー７７をその部分で分割するように構成すれば、容易に傾斜角の変化に追従できる連結体７５とすることが可能となる。
【００７０】
又、この実施の形態においては、遮水シートの端縁同志を離した状態で連結体を設置しているが、これらを重ね合せた状態で連結体を使用しても良い。
【００７１】
更に、この実施の形態においては、遮水シートに先の実施の形態のような撓み部を形成していないが、同様に撓み部を形成した状態で連結体を用いても良い事は言うまでもない。
【図面の簡単な説明】
【００７２】
【図１】この発明の第１の実施の形態による遮水壁構造の外観形状を示す平面図である。
【図２】図１で示したＩＩ−ＩＩラインから見た拡大図である。
【図３】図２で示したＩＩＩ−ＩＩＩラインの断面図である。
【図４】図２で示したＩＶ−ＩＶラインの拡大断面図である。
【図５】図１で示したＶ−Ｖラインの拡大断面図である。
【図６】図５で示したＶＩ−ＶＩラインの拡大断面図である。
【図７】従来の遮水壁構造の外観形状を示した平面図である。
【図８】図７で示したＶＩＩＩ−ＶＩＩＩラインの拡大断面図である。
【図９】図８で示したＩＸ−ＩＸラインから見た拡大図である。
【図１０】この発明の第２の実施の形態によるシート接続構造の外観形状を示す斜視図である。
【図１１】図１０で示したＸＩ−ＸＩラインの拡大断面図である。
【符号の説明】
【００７３】
１５…遮水壁構造
１６…内壁面
１８…遮水シート
１９…撓み部
２１…鉛直連結体
２３…保有水
３１…鋼製箱型矢板
３４，４６，５２…平坦部
３５…傾斜部
３６，４７…フランジ部
４１…ストッパー
４２，５８…遮水材
４４…コーナー連結体
４５…第１部材
５１…第２部材
５３…第１フランジ部
５４…第２フランジ部
７１…底面
７２…法面
７７…カバー
７８…板状体
７９…固定ボルト
８０…ナット
８２…止水材
尚、各図中同一符号は同一又は相当部分を示す。
【図１】
2004314046.tif 000003
【図２】
2004314046.tif 000004
【図３】
2004314046.tif 000005
【図４】
2004314046.tif 000006
【図５】
2004314046.tif 000007
【図６】
2004314046.tif 000008
【図７】
2004314046.tif 000009
【図８】
2004314046.tif 000010
【図９】
2004314046.tif 000011
【図１０】
2004314046.tif 000012
【図１１】
2004314046.tif 000013